(57)【要約】【課題】２枚の縦長で略矩形状の表裏胴部形成シートの間に折り込み目で中折りされた２枚の左右ガゼットがそれぞれの辺でシールされてなり、それに液体等内容物が収納された際に安定した自立性が可能な自立性包装袋の供給にある。【解決手段】２枚の胴部形成表裏面シート２０、２１の間に、縦折り込み目１０より内側に折り込まれた２枚の左右側ガゼット２２、２３を、それぞれの各辺が一致するように重ね合わせ、前記各面シートおよびガゼットの辺に沿って所定の幅を有するシール部でシールされてなる自立性包装袋１において、前記胴部形成表裏面シート２０、２１の下辺２０ｃ、２１ｃが中央に平坦な頂部Ａとその端部から斜め下に延びる稜線Ｂを有する山形でなり、該平坦な頂部Ａの両端内側近傍から左右辺２０ｂ、２１ｂ、２０ａ、２１ａに向かって斜め上に延びる折り曲げ罫線１２が施されている自立性包装袋１である。【選択図】図３
2009073552.tif 000002
【特許請求の範囲】
【請求項１】
少なくとも最内層がシーラント層でなり、２枚の縦長で略矩形状の胴部形成表裏面シートの間に、縦折り込み目より内側に折り込まれた２枚の縦長で略矩形状の左右側ガゼットを、前記胴部形成表面シートの右辺と前記右側ガゼットの左辺、前記胴部形成裏面シートの左辺と前記右側ガゼットの右辺、前記胴部形成表面シートの左辺と前記左側ガゼットの右辺、前記胴部形成裏面シートの右辺と前記左側ガゼットの左辺および前記２枚の胴部形成表裏面シートの下辺と前記２枚の左右側ガゼットの下辺が一致するように重ね合わせ、前記各面シートおよびガゼットの辺に沿って所定の幅を有するシール部でシールされてなる自立性包装袋において、前記胴部形成表裏面シートの下辺が中央に平坦な頂部とその端部から斜め下に延びる稜線を有する山形でなり、該平坦な頂部の両端内側近傍から左右辺に向かって斜め上に延びる折り曲げ罫線が施されていることを特徴とする自立性包装袋。
【請求項２】
前記胴部形成表裏面シートの山形を構成する稜線でなる下辺のシールは、該稜線でなる下辺から折り曲げ罫線までの広幅のシール部でなることを特徴とする請求項１記載の自立性包装袋。
【発明の詳細な説明】
【技術分野】
【０００１】
本発明は、プラスチックフィルムを主体とした軟包装材製の自立性包装袋（サイドガゼット袋）に関するものであり、特に、幅が狭く縦長のものでも安定した自立性を有する自立性包装袋に関するものである。
【背景技術】
【０００２】
従来、清涼飲料水やゼリー状飲料あるいは調味料、化粧品、洗剤などの液体類を収納し、天部には注出口やスパウトを有するプラスチックフィルムを主体とした軟包装材製の自立性包装袋（通称サイドガゼット袋と言われているもの）が知られ、胴部を指等で押しながら天部のスパウトから飲料等内容物を口に注いだり、あるいは天部の注出口から他の容器等へ注いだりするもので、店頭での陳列や通常の立て置き等において安定した自立性が要求されるものである。
【０００３】
ところが、従来の、特に幅が狭く高さのある縦長の自立性包装袋では、例えば、図６の概略斜視図に示すように、縦長の矩形状の表裏胴部形成シート（５０、５１）の間に折り目線（１０）で中折りされた左右ガゼット（５２、５３）を、相対するそれぞれの辺が一致するように重ね合わせ、前記のそれぞれの辺に沿って所定の幅のシール部でシールされている自立性包装袋（２）において、前記表裏胴部形成シート（５０、５１）の下辺（５０ｃ、５１ｃ）が水平な形状でなる自立性包装袋（２）がある。
【０００４】
また、例えば、図７の概略斜視図に示すように、縦長の矩形状の表裏胴部形成シート（５０、５１）の間に折り目線（１０）で中折りされた左右ガゼット（５２、５３）を、相対するそれぞれの辺が一致するように重ね合わせ、前記のそれぞれの辺に沿って所定の幅のシール部でシールされている自立性包装袋（２）において、前記表裏胴部形成シート（５０、５１）の下辺（５０ｃ、５１ｃ）が平らな底部（Ｓ）を有する谷形でなる自立性包装袋（２）がある。
【０００５】
しかしながら、上記従来二つの縦長の自立性包装袋（２）において、内容物（飲料など）を充填して立て置きすると、これらいずれの自立性包装袋（２）においても不安定で自立性に欠けるものであった。
【０００６】
このため、重心が低くなるように広幅で高さのない形状とせざるを得ず、特に内容物が液体で天部に注出口を設けた構造のものなどでは、たとえ広幅で高さのないものでも安定した自立性を保持することは困難なものであった（例えば、特許文献１参照）。
【０００７】
以下に、上記先行技術文献を示す。
【特許文献１】特開平１０−１０１０９５号公報
【発明の開示】
【発明が解決しようとする課題】
【０００８】
本発明は、かかる従来技術の問題点を解決するものであり、その課題とするところは、２枚の幅が狭く高さのある縦長で略矩形状の表裏胴部形成シートの間に折り目線で中折りされた２枚の左右ガゼットがそれぞれの辺が一致するように重ね合わされ、それぞれの辺でシールされてなる自立性包装袋において、液体等内容物が収納された際に安定した自立性が可能な自立性包装袋を供給することにある。
【課題を解決するための手段】
【０００９】
本発明に於いて上記課題を達成するために、まず請求項１の発明では、少なくとも最内層がシーラント層でなり、例えば、図２の斜視図に示すように、２枚の縦長で略矩形状の胴部形成表裏面シート（２０、２１）の間に、縦折り込み目（１０）より内側に折り込まれた２枚の縦長で略矩形状の左右側ガゼット（２２、２３）を、前記胴部形成表面シート（２０）の右辺（２０ａ）と前記右側ガゼット（２３）の左辺（２３ａ）、前記胴部形成裏面シート（２１）の左辺（２１ｂ）と前記右側ガゼット（２３）の右辺（２３ｂ）、前記胴部形成表面シート（２０）の左辺（２０ｂ）と前記左側ガゼット（２２）の右辺（２２ａ）、前記胴部形成裏面シート（２１）の右辺（２１ａ）と前記左側ガゼット（２２）の左辺（２２ｂ）および前記２枚の胴部形成表裏面シート（２０、２１）の下辺（２０ｃ、２１ｃ）と前記２枚の左右側ガゼット（２２、２３）の下辺（２２ｃ、２３ｃ）が一致するように重ね合わせ、前記各面シートおよびガゼットの辺に沿って所定の幅を有するシール部でシールされてなる自立性包装袋（１）において、前記胴部形成表裏面シート（２０、２１）の下辺（２０ｃ、２１ｃ）が中央に平坦な頂部（Ａ）とその端部から斜め下に延びる稜線（Ｂ）を有する山形でなり、該平坦な頂部（Ａ）の両端内側近傍から左右辺（２０ｂ、２１ｂ、２０ａ、２１ａ）に向かって斜め上に延びる折り曲げ罫線（１２）が施されていることを特徴とする自立性包装袋（１）としたものである。
【００１０】
また、請求項２の発明では、図２に示すように、前記胴部形成表裏面シート（２０、２１）の山形を構成する稜線（Ｂ）でなる下辺のシールは、該稜線（Ｂ）でなる下辺から折り曲げ罫線（１２）までの広幅のシール部（３３）でなることを特徴とする請求項１記載の自立性包装袋（１）としたものである。
【発明の効果】
【００１１】
本発明は以上の構成であるから、下記に示す如き効果がある。
【００１２】
即ち、上記請求項１に係る発明によれば、少なくとも最内層がシーラント層でなり、２枚の縦長で略矩形状の胴部形成表裏面シート（２０、２１）の間に、縦折り込み目（１０）より内側に折り込まれた２枚の縦長で略矩形状の左右側ガゼット（２２、２３）を、前記胴部形成表面シート（２０）の右辺（２０ａ）と前記右側ガゼット（２３）の左辺（２３ａ）、前記胴部形成裏面シート（２１）の左辺（２１ｂ）と前記右側ガゼット（２３）の右辺（２３ｂ）、前記胴部形成表面シート（２０）の左辺（２０ｂ）と前記左側ガゼット（２２）の右辺（２２ａ）、前記胴部形成裏面シート（２１）の右辺（２１ａ）と前記左側ガゼット（２２）の左辺（２２ｂ）および前記２枚の胴部形成表裏面シート（２０、２１）の下辺（２０ｃ、２１ｃ）と前記２枚の左右側ガゼット（２２、２３）の下辺（２２ｃ、２３ｃ）が一致するように重ね合わせ、前記各面シートおよびガゼットの辺に沿って所定の幅を有するシール部でシールされてなる自立性包装袋（１）において、前記胴部形成表裏面シート（２０、２１）の下辺（２０ｃ、２１ｃ）が中央に平坦な頂部（Ａ）とその端部から斜め下に延びる稜線（Ｂ）を有する山形でなり、該平坦な頂部（Ａ）の両端内側近傍から左右辺に向かって斜め上に延びる折り曲げ罫線（１２）が施されていることによって、この自立性包装袋（１）に飲料等内容物を充填すると、図１（ａ）の斜視図及び図１（ｂ）の底面から見た平面図に示すように、胴部形成表裏面シート（２０、２１）の下辺（２０ｃ、２１ｃ）に施されている折り曲げ罫線（１２）を介して、その下にある４つの下辺（２０ｃ、２１ｃ）のシール部（３２）が胴部形成表裏面シート（２０、２１）の内側に折り曲げられ、かつ胴部形成表裏面シート（２０、２１）および左右側ガゼット（２２、２３）の左右辺に沿った所定の幅を有する縦シール部（３０）が自立性包装袋の外側に出るようになるので袋の座りが安定し、安定した自立性が可能な自立性包装袋（１）とすることができる。
【００１３】
また、上記請求項２に係る発明によれば、例えば、図４の斜視図に示すように、前記胴
部形成表裏面シート（２０、２１）の山形を構成する稜線（Ｂ）でなる下辺のシールを、該稜線（Ｂ）でなる下辺から折り曲げ罫線（１２）までの広幅の下辺シール部（３３）とすることによって、この折り曲げ罫線（１２）から稜線（Ｂ）でなる下辺まで内容物が入り込まなくなるのでこの折り曲げ罫線（１２）でその下にある広幅の下辺シール部（３２）を胴部形成表裏面シート（２０、２１）の外側に折り曲げられ易くなり、その結果として袋の座りがより安定するようにすることができる。
【００１４】
従って本発明は、飲料や調味料あるいは化粧品等を収納し、特に幅が狭く高さのある縦長の自立性包装袋（サイドガゼット袋）の如き用途において、優れた実用上の効果を発揮する。
【発明を実施するための最良の形態】
【００１５】
以下本発明を実施するための最良の形態を図面を用いて詳細に説明する。
【００１６】
本発明は、少なくとも最内層がシーラント層でなるプラスチックフィルムを主体とした積層体の包装材を用いた自立性包装袋（通称サイドガゼット袋という）に関するものであり、例えば、図１（ａ）の斜視図に示すように、２枚の縦長で略矩形状の胴部形成表裏面シート（２０、２１）の間に、縦折り込み目（１０）より内側に折り込まれた２枚の縦長で略矩形状の左右側ガゼット（２２、２４）を挟んでそれぞれの左右辺、上下辺を所定の幅でシールして縦シール部（３０）および上下シール部を形成してなる自立性包装袋（１）において、特に幅が狭く高さのある縦長のものでも安定した自立性を有する自立性包装袋（１）に関するものである。
【００１７】
本発明の自立性包装袋は、例えば、図２の斜視図に示すように、まず、幅が狭く高さのある縦長で略矩形状の胴部形成表面シート（２０）と、この胴部形成表面シート（２０）と同形の胴部形成裏面シート（２１）との間に、縦折り込み目（１０）より内側に折り込まれた幅が狭く高さのある縦長で略矩形状の左側ガゼット（２２）と、この左側ガゼット（２２）と同形の右側ガゼット（２３）を重ね合わせる。
【００１８】
その重ね合わせは、上記図２の斜視図に示すように、正面から見た胴部形成表面シート（２０）の右辺（２０ａ）と右側面からみた右側ガゼット（２３）の左辺（２３ａ）を合わせ、裏面からみた胴部形成裏面シート（２１）の左辺（２１ｂ）と右側面からみ右側ガゼット（２３）の右辺（２３ｂ）を合わされる。また、正面から見た胴部形成表面シート（２０）の左辺（２０ｂ）と左側面からみた左側ガゼット（２２）の右辺（２２ａ）を合わせ、裏面から見た胴部形成裏面シート（２１）の右辺（２１ａ）と左側面からみた左側ガゼット（２２）の左辺（２２ｂ）とを合わせ、および上記２枚の胴部形成表裏面シート（２０、２１）の下辺（２０ｃ、２１ｃ）と上記２枚の左右側ガゼット（２２、２３）の下辺（２２ｃ、２３ｃ）が一致するように重ね合わされる。
【００１９】
続いて上記のようにして重ね合わされたものを、例えば、図３の斜視図に示すように、胴部形成表面シート（２０）および左側ガゼット（２２）、右側ガゼット（２３）、胴部形成裏面シート（２１）の相対する各辺（２０ａ、２０ｂ、２０ｃ、２１ａ、２１ｂ、２１ｃ、２２ａ、２２ｂ、２２ｃ、２３ａ、２３ｂ、２３ｃ）が所定の幅（Ｗ）でシールされて縦シール部（３０）および下辺シール部（３２）を形成して自立性包装袋（１）とする。
【００２０】
そこで、上記請求項１に係る発明は、例えば、図３の斜視図に示すように、胴部形成表面シート（２０）の下辺（２０ｃ）および胴部形成裏面シート（２１）の下辺（２１ｃ）が中央に平坦な頂部（Ａ）を有し、その平坦な頂部（Ａ）の両端部から斜め下に延びる稜線（Ｂ）を有する山形が形成されている。
【００２１】
さらに、上記請求項１に係る発明では、この山形を形成している平坦な頂部（Ａ）の両端内側近傍から胴部形成表裏面シート（２０、２１）左右辺（２０ｂ、２１ｂ、２０ａ、２１ａ）に向かって斜め上に延びる折り曲げ罫線（１２）が施されていることを特徴とする自立性包装袋（１）である。
【００２２】
このように、胴部形成表面シート（２０）の下辺（２０ｃ）および胴部形成裏面シート（２１）の下辺（２１ｃ）が中央に平坦な頂部（Ａ）とその両端部から斜め下に延びる稜線部（Ｂ）を有する山形を形成していて、さらにこの平坦な頂部（Ａ）の両端から胴部形成表裏面シート（２０、２１）の左右辺（２０ｂ、２０ａ、２１ｂ、２１ａ）に向かって斜め上に延びる折り曲げ罫線（１２）が施されていることによって、例えば、図１（ａ）に示すように、この自立性包装袋（１）に飲料等内容物を充填して袋が膨らむと、例えば、図１（ｂ）の底面図に示すように、胴部形成表裏面シート（２０、２１）の下辺（２０ｃ、２１ｃ）から左右辺（図示しない）に向かって斜め上に延びる折り曲げ罫線（１２）により、その下にある下辺（２０ｃ、２１ｃ）の下辺シール部（３２）が胴部形成表裏面シート（２０、２１）の外側に折り曲げられてるので、図１に示すように、袋の座りが安定し、安定した自立性が可能な自立性包装袋（１）とすることができる。
【００２３】
かつまた、例えば、図１に示すように、胴部形成表面シート（２０）、胴部形成裏面シート（２１）および左右側ガゼット（２２、２３）の左右辺に沿った所定の幅を有する縦シール部（３０）が袋の外側に出っ張るようになるので袋自体の座りがより安定し、この発明の目的である幅が狭く高さのある縦長のものでも安定した自立性が可能な自立性包装袋（１）とすることができる。
【００２４】
また、上記請求項２に係る発明では、例えば、図４の斜視図に示すように、胴部形成表面シート（２０）、胴部形成裏面シート（２１）の山形を構成する稜線（Ｂ）でなる下辺２０ｃ、２１ｃ）の底部は、この山形の稜線（Ｂ）でなる下辺（２０ｃ、２１ｃ）から折り曲げ罫線（１２）までシールされて底部の４隅を広幅の下辺シール部（３３）でなる自立性包装袋（１）とするものである。
【００２５】
このように、底部の下辺シール部を山形を構成する稜線（Ｂ）でなる下辺（２０ｃ、２１ｃ）から折り曲げ罫線（１２）までシールされて底部の４隅を広幅の下辺シール部（３３）とすることによって、この折り曲げ罫線（１２）からその下部にかけて内容物が入り込まなくなるので、この折り曲げ罫線（１２）より胴部形成表裏面シート（２０、２１）の下辺（２０ｃ、２１ｃ）を外側により折り曲げられ易くなり、その結果として袋の座りがより安定するようにすることができる。
【００２６】
本発明の自立性包装袋（１）に用いる包装材としては、少なくとも最内層がヒートシール性のあるシーラント層であればよく、よってヒートシール性を有する熱可塑性樹脂からなる単層フィルムでもよく、これらのヒートシール性を有する熱可塑性樹脂フイルムを袋の内層とし、他のフイルムを積層した２層以上の層構成を有する積層フイルム等を使用することができる。上記ヒートシール性を有する熱可塑性樹脂フイルムとしては、例えば、ポリプロピレン（ＰＰ）、プロピレン−エチレン共重合体、結晶性ポリブテン−１、結晶性ポリ４−メチルペンテン−１、低密度ポリエチレン（ＬＤＰＥ）、中密度ポリエチレン、高密度ポリエチレン（ＨＤＰＥ）、線状低密度ポリエチレン（ＬＬＤＰＥ）、エチレン−酢酸ビニル共重合体、エチレン−アクリル酸共重合体、エチレン−アクリル酸エチル共重合体、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６（Ｎｙ６）、ナイロン６６、パラまたはメタキシリレンアジパミドの如きポリアミド類；ポリエチレンテレフタレート（ＰＥＴ）、ポリブチレンテレフタレート（ＰＢＴ）、ポリテトラメチレンテレフタレート、ポリ−１，４−シクロヘキサンジメチレンテレフタレート、ポリエチレンナフタレート等のポリエステル類；各種ポリカーボネート；ポリオキシメチレン等のポリアセタール類等の熱可塑性樹脂を挙げることができる。
【００２７】
上記熱可塑性樹脂として特に好ましい材料としては、低密度ポリエチレン（ＬＤＰＥ）、線状低密度ポリエチレン（ＬＬＤＰＥ）、中密度ポリエチレン（ＭＤＰＥ）、高密度ポリエチレン（ＨＤＰＥ）、ポリプロピレン（ＰＰ）、プロピレン−エチレン共重合体、エチレン−酢酸ビニル共重合体、エチレン系不飽和カルボン酸乃至その無水物でグラフト変性されたオレフィン樹脂等のオレフィン系樹脂、アイオノマー樹脂、比較的低融点のポリアミド樹脂、ポリエステル樹脂等が使用される。
【００２８】
自立性包装袋（１）を構成するプラスチックフイルムとして積層フイルムを使用する場合には、上記のヒートシール性を有する熱可塑性樹脂フイルムを袋の内層とし、必要に応じて接着剤層を介して、他のフイルムを積層した積層フイルムを使用する。接着剤層を形成する材料としては、ポリエチレンイミン樹脂、アルキルチタネート樹脂、ポリエステル−イソシアネート系樹脂、ウレタン樹脂、エポキシ樹脂、ポリエーテル系樹脂、極性基を導入したオレフィン系樹脂等から選ばれた接着性樹脂が使用できる。
【００２９】
ヒートシール性樹脂と積層するフイルムとしては、特に制限はなく、通常パウチ等の袋に用いられるものはいずれも使用可能である。このようなフイルムに適した材料としては、上記のヒートシール性樹脂として使用される材料はいずれも使用することができ、内層となる樹脂と同種又は異種の材料を適宜選択する。また、他のフイルムとして、アルミニウム等の金属箔、紙、セロファン等と上記のプラスチックフイルムの１種又は２種以上を貼合せたものを使用することもできる。特に、ガスバリヤー性を必要とする内容物の場合には、ポリ塩化ビニリデン樹脂、ＥＶＡケン化物、ナイロン又は環状オレフィンコポリマー等の樹脂層が挙げられる。
【００３０】
また、近年透明で環境問題（上記ポリ塩化ビニリデン樹脂、ＥＶＡケン化物やアルミニウム箔を使用することによる）にも配慮した酸化アルミニウムや酸化珪素などの金属酸化物蒸着膜をポリエチレンテレフタレートフィルムに積層したバリアフイルムが好適に使用されいる。さらにまた袋を構成するフイルムに断熱性や剛性等を付与するために、各種合成樹脂の発泡体からなるフイルムを使用することもでき、また酸化チタン、炭酸カルシウム、カーボン、タルク等の無機物やガラス繊維等を混練した各種合成樹脂からなるフイルムを使用することもできる。
【００３１】
また、上記積層フィルムでなる胴部形成表裏面シート（２０、２１）に施す折り曲げ罫線（１２）としては、例えば、胴部形成表裏面シート（２０、２１）の内面側（シーラント層側）から押し罫を施してもよく、あるいは胴部形成表裏面シート（２０、２１）の外面側に突出するように襞を作り、その内側（シーラント層側）をシールしたものであってもよい。
【００３２】
上記本発明の自立性包装袋の形態の事例として、例えば、図１（ａ）の斜視図に示すように、胴部形成表面シート（２０）および胴部形成裏面シート（２１）の上端中央縁の間にスパウト（６）を挟みシールしてなるスパウト付の自立性包装袋（１）とすることができ、その使用に際し、この自立性包装袋（１）の胴部を指等でつかみ押しながら天部にあるスパウト（６）から飲料（液状またはゼリー状）等内容物を口に注いで飲用することができる。
【００３３】
また、本発明の自立性包装袋の形態の他の事例として、例えば、図５（ａ）の正面図に示すように、縦シール部（３０）の上方で内側に傾斜する傾斜シール部（３４）を形成し、上端で上方に突出し、かつ両側辺および上辺をシールして注出口（７）を設けた注出口付の自立性包装袋（１）とすることもでき、その使用は、例えば、図５（ｂ）の斜視図に示すように、この注出口付の自立性包装袋（１）に充填された洗剤等内容物を細口のボトル容器（４０）に詰め替える際に使用することができるもので、このボトル容器（４０）の口部（４１）の中に自立性包装袋（１）の注出口（７）を挿入して詰め替えが可能なものとすることができる。
【実施例】
【００３４】
以下に、本発明の具体的実施例について説明する。
【００３５】
＜実施例１＞
自立性包装袋を構成する包装材として、厚み１２μｍのポリエチレンテレフタレート（ＰＥＴ）フィルムと厚み１５μｍの延伸ナイロンフィルム（ＯＮｙ）と最内層として厚み１００μｍの直鎖状低密度ポリエチレン（ＬＬＤＰＥ）とでなる積層体を用い、図３に示すように、横幅（Ｙ）が７０ｍｍ、縦幅（Ｔ）が２００ｍｍ、山形の高さ（ＢＨ）が１０ｍｍ、山形の稜線（Ｂ）の横幅（ＢＷ）が３０ｍｍ、折り曲げ罫線（１２）と左右辺との交点とその最下部までの距離（Ｋ）が４５ｍｍの胴部形成表裏面シート（２０、２１）の間に、縦折り込み目（１０）から左右辺（２２ｂ、２２ａ、２３ａ、２３ｂ）までの横幅（Ｒ）が３０ｍｍの左右側ガゼット（２２、２３）を重ねあわせ、それぞれの各辺をシール幅（Ｗ）５ｍｍでシールして縦長の自立性包装袋（１）を作製した。
【００３６】
以下に、本発明の比較例について説明する。
【００３７】
＜比較例１＞
図５に示すように、下辺（５０ｃ、５１ｃ）が水平な表裏胴部形成シート（５０、５１）を用いた他は、実施例１と同様にして自立性包装袋（２）を作製した。
【００３８】
＜比較例２＞
図６のに示すように、下辺（５０ｃ、５１ｃ）が平らな底部（Ｓ）と傾斜面（Ｘ）を有する谷形からなり、谷の深さ（Ｚ）が２０ｍｍ、傾斜面（Ｘ）の横幅（ＸＷ）が２０ｍｍの表裏胴部形成シート（５０、５１）を用いた他は、実施例１と同様にして自立性包装袋（２）を作製した。
【００３９】
上記実施例１および比較例１、２で得られた自立性包装袋に水道水３００ｇを充填し、各々袋の下部より５０ｍｍの胴部形成表裏面シートの中央付近を指で３回押したとき、袋の倒れたか否かを５回繰り返して自立性の評価とし、その結果を表１に示した。
【００４０】
【表１】
2009073552.tif 000003
上記表１から実施例１で使用した下辺（２０ｃ、２１ｃ）が中央に平坦な頂部（Ａ）とその端部から斜め下に延びる稜線（Ｂ）を有する山形でなり、該平坦な頂部（Ａ）の両端内側近傍から左右辺に向かって斜め上に延びる折り曲げ罫線（１２）が施されている胴部形成表裏面シート（２０、２１）を用いた自立性包装袋（１）が５回とも倒れなく自立性に優れたものであった。
【図面の簡単な説明】
【００４１】
【図１】本発明の自立性包装袋の一実施の形態を示すもので、（ａ）は、内容物を充填したときの斜視図であり、（ｂ）は、（ａ）を底面から見たときの平面図である。
【図２】本発明の自立性包装袋の一事例を構成する各シートを組立てるときの斜視図である。
【図３】本発明の自立性包装袋の一事例を説明する斜視図である。
【図４】本発明の自立性包装袋の他の一事例を説明する斜視図である。
【図５】本発明の自立性包装袋の他の実施の形態を示すもので、（ａ）は、その正面図であり、（ｂ）は、内容物を他のボトル容器に詰め替える際の斜視図である。
【図６】従来の自立性包装袋の一事例を説明する斜視図である。
【図７】従来の自立性包装袋の他の一事例を説明する斜視図である。
【符号の説明】
【００４２】
１‥‥自立性包装袋
２‥‥従来の自立性包装袋
６‥‥スパウト
７‥‥注出口
１０‥‥縦折り込み目
１２‥‥折り曲げ罫線
２０‥‥胴部形成表面シート
２０ａ‥‥胴部形成表面シートの右辺
２０ｂ‥‥胴部形成表面シートの左辺
２０ｃ‥‥胴部形成表面シートの下辺
２１‥‥胴部形成裏面シート
２１ａ‥‥胴部形成裏面シートの左辺
２１ｂ‥‥胴部形成裏面シートの右辺
２１ｃ‥‥胴部形成裏面シートの下辺
２２‥‥左側ガゼット
２２ａ‥‥左側ガゼットの右辺
２２ｂ‥‥左側ガゼットの左辺
２２ｃ‥‥左側ガゼットの下辺
２３‥‥右側ガゼット
２３ａ‥‥右側ガゼットの左辺
２３ｂ‥‥右側ガゼットの右辺
２３ｃ‥‥右側ガゼットの下辺
３０‥‥縦シール部
３２‥‥下辺シール部
３３‥‥広幅の下辺シール部
３４‥‥傾斜シール部
３５‥‥上辺シール部
４０‥‥ボトル容器
４１‥‥口部
５０‥‥従来の表胴部形成シート
５１‥‥従来の裏胴部形成シート
５２‥‥従来の左側ガゼット
５３‥‥従来の右側ガゼット
Ａ‥‥山形の頂部
Ｂ‥‥山形の稜線
ＢＨ‥‥山形の高さ
ＢＷ‥‥山形稜線の横幅
Ｋ‥‥折り曲げ罫線と左右辺との交点とその最下部までの距離
Ｒ‥‥ガゼットの縦折り込み目からの横幅
Ｓ‥‥平らな底部
Ｔ‥‥胴部形成表裏面シートの縦幅
Ｙ‥‥胴部形成表裏面シートの横幅
Ｘ‥‥谷形の傾斜面
ＸＷ‥‥谷形の傾斜面の横幅
Ｚ‥‥谷形の深さ
【図１】
2009073552.tif 000004
【図２】
2009073552.tif 000005
【図３】
2009073552.tif 000006
【図４】
2009073552.tif 000007
【図５】
2009073552.tif 000008
【図６】
2009073552.tif 000009
【図７】
2009073552.tif 000010